(57)【特許請求の範囲】
【請求項１】
移動遠隔通信ネットワークにおける電力制御の方法であって、単一の物理チャネル上で多重化されている複数の使用している伝送チャネルのチャネル毎に、当該チャネルについて前に計算した値に基づいて信号強度基準値を計算するステップと、
各伝送チャネルについて、当該チャネルについて計算した前記信号強度基準値と所定の最低信号強度基準値とを比較し、当該チャネルについて計算した前記信号強度基準値の方が大きい場合、当該チャネルについて計算した前記信号強度基準値を当該チャネルについて使用する信号強度基準に決定し、そうでない場合、前記所定の最低信号強度基準値を当該チャネルについて使用する信号強度基準に決定するステップと、
各伝送チャネルについて使用する信号強度基準のうちで最高の信号強度基準値を、前記複数の使用している伝送チャネルのすべてについて使用する信号強度基準値として決定するステップとを含む方法。
【請求項２】
チャネルの前記信号強度基準値が信号対干渉比（ＳＩＲ）基準値である請求項１に記載の方法。
【請求項３】
品質判定基準検査に応じて、前記信号強度基準値を増分又は減分するステップをさらに含む請求項１に記載の方法。
【請求項４】
前記複数の使用している伝送チャネルのチャネル毎にＳＩＲ基準値を計算する前記ステップは、アルゴリズム
0004585858.tif 000010
を適用することによって行われ、
ここで、ｋはブロック番号を示し、ＳＩＲｒ（ｋ）はブロックｋのＳＩＲ基準値を示し、ｋｐ及びｋｉはアルゴリズムの収束速度及び安定性を制御するパラメータであり、Ｉ（ｋ＋１）＝Ｉ（ｋ）＋ｅ（ｋ）であり、
ｅ（ｋ）は必要なサービス品質（Ｑｕａｌｉｔｙ ｏｆ Ｓｅｒｖｉｃｅ：ＱｏＳ）と実際のＱｏＳとの差を示す変数である、
請求項２に記載の方法。
【請求項５】
ｅ（ｋ）は、
0004585858.tif 000011
ここで、ＢＬＥＲｒはＢＬＥＲ基準値を示す、
となるような所定の品質判定基準が満たされているか否かに応じて異なる値をとる、請求項４に記載の方法。
【請求項６】
パラメータ
0004585858.tif 000012
を使用し、
ここで、ＳＩＲｉｎｃはＳＩＲ基準値の増分を示し、
ＢＬＥＲｒはＢＬＥＲ基準値を示す、
請求項４に記載の方法。
【請求項７】
各伝送チャネルについて使用する信号強度基準を決定する前記ステップは、比例積分（ＰＩ）アルゴリズムを使用して決定され、
0004585858.tif 000013
ここで、ＳＩＲｒ（ｌ，ｋ）はチャネルｌ＝１、．．．、ＮのブロックｋにおけるＳＩＲ基準値を示し、ＢＬＥＲｒ（ｌ）はチャネルｌのＢＬＥＲ基準値を示し、
ＳＩＲｉｎｃはＳＩＲ基準値の増分を示す、
によって特徴付けられる請求項２、４、５、又は６のいずれかに記載の方法。
【請求項８】
前記品質判定基準検査はビット誤り率（ＢＥＲ）基準値に基づく請求項７に記載の方法。
【請求項９】
前記品質判定基準検査は巡回冗長検査（ＣＲＣ）基準値に基づく請求項７に記載の方法。
【請求項１０】
前記複数の使用している伝送チャネルのチャネル毎に初期ブロックｋ＝０について、
初期ＳＩＲ基準値ＳＩＲｒ（ｌ，０）を
0004585858.tif 000014
ここで、ａ２及びｂ２がチャネル・モデル・パラメータ、
で計算する、請求項７に記載の方法。
【請求項１１】
前記移動遠隔通信ネットワークはＷＣＤＭＡを使用する請求項１乃至１０のいずれかに記載の方法。
【請求項１２】
遠隔通信ネットワークにおいて使用する移動局であって、前記移動局は単一の物理チャネル上で多重化されている複数の使用している伝送チャネルのチャネル毎に、当該チャネルについて前に計算した値に基づいて信号強度基準値を計算するステップと、
各伝送チャネルについて、当該チャネルについて計算した前記信号強度基準値と所定の最低信号強度基準値とを比較し、当該チャネルについて計算した前記信号強度基準値の方が大きい場合、当該チャネルについて計算した前記信号強度基準値を当該チャネルについて使用する信号強度基準に決定し、そうでない場合、前記所定の最低信号強度基準値を当該チャネルについて使用する信号強度基準に決定するステップと、
各伝送チャネルについて使用する信号強度基準のうちで最高の信号強度基準値を、前記複数の使用している伝送チャネルのすべてについて使用する信号強度基準値として決定するステップとを含む方法によって電力制御が行われる手段を含む移動局。
【請求項１３】
各伝送チャネルについて使用する信号強度基準を決定する前記ステップは、比例積分（ＰＩ）アルゴリズムを使用して決定され、
0004585858.tif 000015
ここで、ＳＩＲｒ（ｌ，ｋ）はチャネルｌ＝１、．．．、ＮのブロックｋにおけるＳＩＲ基準値を示し、ＢＬＥＲｒ（ｌ）はチャネルｌのＢＬＥＲ基準値を示し、
前記信号強度基準値が信号対干渉比（ＳＩＲ）基準値であり、
ＳＩＲｉｎｃはＳＩＲ基準値の増分を示す、
によって特徴付けられる請求項１２に記載の移動局。
【請求項１４】
前記移動遠隔通信ネットワークはＷＣＤＭＡを使用し、
前記信号強度基準値が信号対干渉比（ＳＩＲ）基準値である、
請求項１２又は１３に記載の移動局。
【請求項１５】
遠隔通信ネットワークにおいて使用する基地局であって、前記基地局は、
単一の物理チャネル上で多重化されている複数の使用している伝送チャネルのチャネル毎に、当該チャネルについて前に計算した値に基づいて信号強度基準値を計算するステップと、
各伝送チャネルについて、当該チャネルについて計算した前記信号強度基準値と所定の最低信号強度基準値とを比較し、当該チャネルについて計算した前記信号強度基準値の方が大きい場合、当該チャネルについて計算した前記信号強度基準値を当該チャネルについて使用する信号強度基準に決定し、そうでない場合、前記所定の最低信号強度基準値を当該チャネルについて使用する信号強度基準に決定するステップと、
各伝送チャネルについて使用する信号強度基準のうちで最高の信号強度基準値を、前記複数の使用している伝送チャネルのすべてについて使用する信号強度基準値として決定するステップとを含む方法によって電力制御が行われる手段を含む基地局。
【請求項１６】
各伝送チャネルについて使用する信号強度基準を決定する前記ステップは、比例積分（ＰＩ）アルゴリズムを使用して決定され、
0004585858.tif 000016
ここで、ＳＩＲｒ（ｌ，ｋ）はチャネルｌ＝１、．．．、ＮのブロックｋにおけるＳＩＲ基準値を示し、ＢＬＥＲｒ（ｌ）はチャネルｌのＢＬＥＲ基準値を示し、
前記信号強度基準値が信号対干渉比（ＳＩＲ）基準値であり、
ＳＩＲｉｎｃはＳＩＲ基準値の増分を示す、
によって特徴付けられる請求項１５に記載の基地局。
【請求項１７】
前記移動遠隔通信ネットワークはＷＣＤＭＡを使用し、
前記信号強度基準値が信号対干渉比（ＳＩＲ）基準値である、
請求項１５又は１６に記載の基地局。
【請求項１８】
単一の物理チャネル上で多重化されている複数の使用している伝送チャネルのチャネル毎に、当該チャネルについて前に計算した値に基づいて信号強度基準値を計算するステップと、
各伝送チャネルについて、当該チャネルについて計算した前記信号強度基準値と所定の最低信号強度基準値とを比較し、当該チャネルについて計算した前記信号強度基準値の方が大きい場合、当該チャネルについて計算した前記信号強度基準値を当該チャネルについて使用する信号強度基準に決定し、そうでない場合、前記所定の最低信号強度基準値を当該チャネルについて使用する信号強度基準に決定するステップと、
各伝送チャネルについて使用する信号強度基準のうちで最高の信号強度基準値を、前記複数の使用している伝送チャネルのすべてについて使用する信号強度基準値として決定するステップとを含む方法によって電源制御が行われる手段を含む遠隔通信ネットワーク。
【請求項１９】
各伝送チャネルについて使用する信号強度基準を決定する前記ステップは、比例積分（ＰＩ）アルゴリズムを使用して決定され、
0004585858.tif 000017
ここで、ＳＩＲｒ（ｌ，ｋ）はチャネルｌ＝１、．．．、ＮのブロックｋにおけるＳＩＲ基準値を示し、ＢＬＥＲｒ（ｌ）はチャネルｌのＢＬＥＲ基準値を示し、
前記信号強度基準値が信号対干渉比（ＳＩＲ）基準値であり、
ＳＩＲｉｎｃはＳＩＲ基準値の増分を示す、
によって特徴付けられる請求項１８に記載の遠隔通信ネットワーク。
【請求項２０】
前記移動遠隔通信ネットワークはＷＣＤＭＡを使用し、
前記信号強度基準値が信号対干渉比（ＳＩＲ）基準値である、
請求項１８又は１９に記載の遠隔通信ネットワーク。
【発明の詳細な説明】
【技術分野】
【０００１】
本発明は、無線資源管理における電力制御に関し、特に、複数の伝送チャネルを有するシステムに関する。
【背景技術】
【０００２】
最近の遠隔通信ネットワークでは、無線インタフェース資源の使用率とサービス品質（Ｑｕａｌｉｔｙ  ｏｆ  Ｓｅｒｖｉｃｅ：ＱｏＳ）の維持とは、無線資源管理（Ｒａｄｉｏ  Ｒｅｓｏｕｒｃｅ  Ｍａｎａｇｅｍｅｎｔ：ＲＲＭ）によって決まる。ＲＲＭは、ハンドオーバ、電力制御、アドミッション制御、負荷制御、及びパケット・スケジューリングの機能を担う。これらの各機能は、適切なＲＲＭアルゴリズムによって実施される。
【０００３】
第三世代の遠隔通信ネットワークは、高品質のサービスをサポートする必要があると共に、１つの接続で複数のサービスを多重化する必要がある。具体的には、電力制御は、無線インタフェースにおける干渉レベルを最小レベルに維持することによって、必要なＱｏＳを提供するのに重要な役割を担っている。電力制御アルゴリズムはユーザ装置（Ｕｓｅｒ  Ｅｑｕｉｐｍｅｎｔ：ＵＥ）レベル、基地局（Ｂａｓｅ  Ｓｔａｔｉｏｎ：ＢＳ）レベル、又は無線ネットワーク制御局（Ｒａｄｉｏ  Ｎｅｔｗｏｒｋ  Ｃｏｎｔｒｏｌｌｅｒ：ＲＮＣ）レベルで実施することができる。この３種類のネットワーク要素を図１に示す。ＢＳ１０は、送受信機１２と処理装置１４とを備え、処理装置１４は、ＲＮＣ１６との固定接続を有する。ＭＳ１８は、通常は固定した場所にはない。
【０００４】
第三世代システム（広帯域符号分割多重アクセス（Ｗｉｄｅｂａｎｄ  Ｃｏｄｅ  Ｄｅｖｉｓｉｏｎ  Ｍｕｌｔｉｐｌｅ  Ａｃｃｅｓｓ：ＷＣＤＭＡ）など）に特有であって、第２世代システム（汎欧州デジタル・セルラー・システム（Ｇｌｏｂａｌ  Ｓｙｓｔｅｍ  ｆｏｒ  Ｍｏｂｉｌｅ  Ｃｏｍｍｕｎｉａｔｉｏｎｓ：ＧＳＭ）など）にはない電力制御の特徴として、高速電力制御とアウター・ループ電力制御がある。ＷＣＤＭＡにおける高速電力制御は、約１．５ｋＨｚの周波数を有し、アップリンクとダウンリンクの両方でサポートされている。アウター・ループ電力制御アルゴリズムは、必要なＱｏＳが維持されるように高速電力制御のための信号対干渉比（Ｓｉｇｎａｌ  ｔｏ  Ｉｎｔｅｒｆｅｒｅｎｃｅ  Ｒａｔｉｏ：ＳＩＲ）基準を調整するために、受信信号品質を評価する。信号品質は、ＭＳの速度又は多経路伝播環境の変化によって影響を受けることがある。ＷＣＤＭＡにおけるアウター・ループ制御は、約１０〜１００Ｈｚの周波数を有し、アップリンクとダウンリンクの両方で高速制御が行われるため、アップリンクとダウンリンクの両方でアウター・ループ制御が必要である。
【０００５】
図２は、一般的なアウター・ループ電力制御アルゴリズムの概要を示すフローチャートである。アップリンクで受信した信号の品質が必要な信号品質より良いか否かの最初の判定２０が行われる。必要な信号品質より良い場合は、高速電力制御のためのＳＩＲ基準を下げて２２、ネットワーク容量の無駄な消費を避ける。一方、信号品質が必要な品質よりも劣る場合は、ＳＩＲ基準を上げて２４、必要なＱｏＳが維持されるようにする。
【０００６】
ＱｏＳは、受信信号から生じる誤差と直接関係している。この誤差は、電力制御ループにおける不正確なＳＩＲ評価、信号誤差及び遅延によって生じる。アップリンクで受信した信号の品質を判定するために、いくつかの周知の方法を使用することができる。品質判定は、たとえば算定物理チャネルビット誤り率（Ｂｉｔ  Ｅｒｒｏｒ  Ｒａｔｅ：ＢＥＲ）、受信ＳＩＲ、又は巡回冗長検査（Ｃｙｃｌｉｃ  Ｒｅｄｕｎｄａｎｃｙ  Ｃｈｅｃｋ：ＣＲＣ）に基づいて行うことができる。
【０００７】
ＣＲＣ判定は一般に、少なくとも数秒に１回と、かなり頻繁な誤りの発生を許すネットワーク・サービスに使用される。これは、再送を行うまでにブロック誤り率（ＢＬＥＲ）が最大１０〜２０％まで可能な非リアルタイム・パケット・データ・サービスや、一般にＢＬＥＲ＝１％で必要な品質が得られる音声サービスで可能である。
【０００８】
可能な１つのアウター・ループ電力制御アルゴリズムは、いわゆる比例積分（ＰＩ）アルゴリズムである。これは、以下のように表すことができる。
0004585858.tif 000002
ここでｋはブロック番号、ＳＩＲｒ（ｋ）は、ブロックｋのＳＩＲ基準値を示し、ｋｐ及びｋｉはアルゴリズムの収束速度及び安定性を制御するパラメータ、ｅ（ｋ）は必要なＱｏＳと実際のＱｏＳとの差を示す変数、Ｉ（ｋ）はＳＩＲ基準値の定常状態値であり、Ｉ（ｋ＋１）＝Ｉ（ｋ）＋ｅ（ｋ）である。たとえば、以下の式を用いることができる。
0004585858.tif 000003
ここでＢＬＥＲｒはＢＬＥＲ基準値を示す。また、ｅ（ｋ）をフィルタリングして、より平滑な動作を得ることも可能である。定数ｋｐ及びｋｉの値の例は、ｋｐ＝０．３及びｋｉ＝０．８である。特殊な場合が、以下のパラメータの選定によって与えられる。
0004585858.tif 000004
これにより、「ＷＣＤＭＡ  ｆｏｒ  ＵＭＴＳ」（Ｈｏｌｍａ及びＴｏｓｋａｌａ編、Ｗｉｌｅｙ＆Ｓｏｎｓ  Ｌｔｄ，２０００年、１８７〜２０３頁）で開示されているいわゆるジャンプ・アルゴリズムが得られる。このジャンプ・アルゴリズムは、データのＣＲＣ判定に基づいており、以下のように表すことができる。
【０００９】
0004585858.tif 000005
ここで、ＳＩＲｉｎｃはＳＩＲ基準値の増分を示す。ＳＩＲｉｎｃは、典型的には０．３ｄＢ乃至１．０ｄＢである。
【００１０】
ＰＩアルゴリズムとジャンプ・アルゴリズムは両方とも、直前のＳＩＲ基準値の値に基づいて更新ＳＩＲ基準値を計算する。受信信号品質が必要な信号品質より良い場合、更新ＳＩＲ基準値は減分となる。受信信号品質が必要な信号品質よりも劣る場合、更新ＳＩＲ基準値は増分となる。
【００１１】
ネットワーク容量を効率的に使用するためには、アウター・ループ電力制御ではＳＩＲ基準値を常に可能な限り低く抑えておく必要がある。しかし、ＳＩＲ基準値が低過ぎると、ＱｏＳが下がる。データ・トラフィック状況は時間の経過と共に変化する可能性があり、従って、利用者が受容可能なＱｏＳを確実に得られるようにするには、柔軟性と信頼性を備えたシステムが必要である。
【００１２】
この周知の電力制御機能では、複数の伝送チャネルを使用している場合に適切なＳＩＲ基準値を決定することができない。１本の物理チャネルで複数の伝送チャネルが多重化されている場合、すべての伝送チャネルに十分に高いパフォーマンスをもたせる共通のＳＩＲ基準値を求めなければならない。必要なＳＩＲレベルは、符号体系、チャネル品質、装置速度、及びその他のパラメータとの複雑な関係にあり、容易には計算することができない。伝送チャネルの可能な組合せの数もきわめて多く、参照テーブルの使用を不可能にしている。
【発明の開示】
【発明が解決しようとする課題】
【００１３】
本発明は、複数の伝送チャネルの必要なＱｏＳが維持され、データ・トラフィックの変化に付随する周知のシステムの問題が改善される、ＲＲＭにおける電力制御機能を提供することを目的とする。
【課題を解決するための手段】
【００１４】
本発明の第１の態様によると、移動遠隔通信ネットワークにおける電力制御の方法であって、使用している複数のチャネルのチャネル毎に、当該チャネルについて前に計算した値に基づいて信号強度基準値を計算するステップと、チャネルについて計算した該信号強度基準値を、所定の最低信号強度基準値か、又はそれ以上に維持するステップと、計算したすべての該信号強度基準値のうちで最高の信号強度基準値を、使用している該複数のチャネルのすべてについて使用する信号強度基準値として決定するステップとを含む方法が提供される。
【００１５】
本発明の第２の態様によると、遠隔通信ネットワークにおける移動局であって、本発明の第１の態様に規定する方法によって電力制御を行う手段を含む移動局が提供される。
【００１６】
本発明の第３の態様によると、遠隔通信ネットワークにおける基地局であって、本発明の第１の態様に規定する方法によって電力制御を行う手段を含む移動局が提供される。
【００１７】
本発明の第４の態様によると、本発明の第１の態様に規定する方法によって電力制御を行う手段を含む遠隔通信ネットワークが提供される。
【００１８】
本明細書で使用する「含む」という用語は、本明細書に記載の特徴、完全体、ステップ、又は構成要素の存在を規定するものと解釈されるものではなく、１又は複数の他の特徴、完全体、ステップ、構成要素、又はそれらのグループの存在又は付加を除外するものではないことを強調しておく。
【００１９】
本発明をよりよく理解することができるように、また、本発明をどのようにして実施することができるかを示すために、以下では例示として添付図面を参照する。
【実施例】
【００２０】
遠隔通信ネットワークが複数のチャネルを使用している場合、無線資源管理（ＲＲＭ）は、拡張アウター・ループ電力制御アルゴリズムを実施する。このアルゴリズムは、一度に使用されているすべてのチャネルに適合する単一のＳＩＲ基準値を決定するように機能する。これは、チャネルｌごとに別個に使用するＳＩＲ基準値を決定することによって実現される。ここで、ｌ＝（１，．．．，使用中のチャネル数）である。最初のステップは以下の式で特徴付けられる。
【００２１】
0004585858.tif 000006
【００２２】
実際には、ａ２は０．６、ｂ２は−１．５とすることができる。このＳＩＲ基準値はチャネル利用者のＱｏＳ要件に依存することは明らかである。
【００２３】
各割振りチャネルの次のブロックｋ＝１でのＳＩＲ基準値を更新するために、そのチャネルでの品質判定を行う（以下、ＣＲＣを使用して示す）。この更新ステップは、以下のように特徴付けられる。
【００２４】
0004585858.tif 000007
ここで、ＳＩＲｉｎｃはチャネルｌのＳＩＲ基準値の増分を示す。ＳＩＲｉｎｃは、一般には０．３ｄＢ乃至１．０ｄＢであり、すべてのチャネルについて同一とすることができる。言い換えると、受信信号品質が必要信号品質よりも良い場合、更新ＳＩＲ基準値は減分となる。受信信号品質が必要信号品質よりも悪い場合、更新ＳＩＲ基準値は増分となる。
【００２５】
更新ＳＩＲ基準値を所定の最低ＳＩＲ基準値と比較する。前者が後者を上回る場合、更新ＳＩＲ基準値を使用する。算出された更新ＳＩＲ基準値が所定の最低ＳＩＲ基準値を下回る場合、更新ＳＩＲ基準値の代わりに所定の最低ＳＩＲ基準値を使用する。この比較は以下の式で特徴付けることができる。
0004585858.tif 000008
【００２６】
ネットワークですべての割振りチャネルのための全体的更新ＳＩＲ基準値を設定するためには、以下の式が適用される。
【００２７】
0004585858.tif 000009
【００２８】
共通の物理チャネル上で多重化されているチャネルはすべて、共通のＳＩＲ基準値を使用しなければならない。したがって、特定のブロックｋのすべての割振りチャネルについて最大の更新ＳＩＲ基準値を、当該ブロックのチャネルのグループの全体的ＳＩＲ基準値として使用する。
【００２９】
チャネルごとに所定の最低ＳＩＲ基準値を設定する理由は、そのようにしないと、あるチャネルのための算出されたＳＩＲ基準値がきわめて低い値になる可能性があるためである。チャネルが、長期間にわたって要求されるＱｏＳよりも高いＱｏＳを達成する場合がそうである。たとえばチャネルを削除または新規チャネルを追加した場合や、チャネルのＱｏＳパラメータが変化した場合など、チャネルの多重化状況が変化した場合、当該チャネルの正確なＱｏＳを実現するのに使用中のＳＩＲ基準値では不十分になる場合がある。所定の最低ＳＩＲ基準値がない場合、算出された更新ＳＩＲ基準値が受容可能なレベルに再び達するのに時間がかかり過ぎることになる。
【００３０】
一般には、ＳＩＲｍｉｎを−１０ｄＢに設定すると、トラフィック状況が変化してもすべての割振りチャネルが妥当な時間内（一般には１秒未満）にＳＩＲ基準の制御を回復することができる。
【００３１】
図３で、ステップ３０でＲＲＭが動作して、検討対象の割振りチャネルの最初のブロックのＳＩＲ基準値を求める。ステップ３２で、たとえばＣＲＣを使用して、ＱｏＳ判定を行う。現在の品質が受容可能であると判断された場合、ステップ３４でＳＩＲ基準値を減分して更新ＳＩＲ基準値を得る。しかし、ＱｏＳが利用者要件に満たない場合、更新ＳＩＲ基準値を得るためにステップ３６でＳＩＲ基準値を増分する。ステップ３８で比較を行って、更新ＳＩＲ基準値が所定のＳＩＲ最低値よりも大きいか否かを判断する。それにより、更新ＳＩＲ値が所定のＳＩＲ最低値よりも大きい場合、ステップ４０で検討対象のブロック及びチャネルに対して更新ＳＩＲ基準値を使用する。しかし、更新ＳＩＲ基準値が所定のＳＩＲ最低値よりも小さい場合、ステップ４２で更新ＳＩＲ基準値ではなく所定のＳＩＲ最低値を使用する。
【００３２】
図３の検討対象チャネルに対して実施したアウター・ループ電力制御アルゴリズムは、ＲＲＭの制御下にある遠隔通信ネットワーク内の他の複数の割振りチャネルのそれぞれに対しても実施可能であることが、当業者ならわかるであろう。ステップ４４で、同じブロックについて各チャネルに使用するＳＩＲ基準値を比較して、最大使用ＳＩＲ基準値を判断する。この値が当該遠隔通信ネットワークのＳＩＲ基準値を制御すると言える。したがって、ＲＲＭは、割振りチャネルの使用ＳＩＲ基準値を使用して、本発明による拡張アウター・ループ電力制御アルゴリズムを実施する。
【００３３】
このプロセスを、ブロックｋ＝０、１、２、３、．．．、ｎの各ブロックについて繰り返して、関係する変数（割振りチャネル数、必要最大ＳＩＲ基準値など）が変化しても受容可能なＱｏＳが確実に得られるようにする。
【００３４】
以上により、複数のトランスポートチャネルのＳＩＲ基準値が設定され、拡張アウター・ループ電力制御アルゴリズムの複雑さがきわめて低いので有利である。
【００３５】
図４で、図３のフローチャートをさらに詳細に説明する。図４では、ネットワーク内の複数のチャネルでの共通最大使用ＳＩＲ基準値の使用が示されている。第１のＲＭＭ５０、第２のＲＭＭ５２、及び第３のＲＭＭ５４が、それぞれ２つの入力を有する。第１、第２、及び第３のコントローラ５０、５２、５４からの単一出力６８、７０、７２は、単一の比較手段７４を介して単一の物理チャネル７６に多重化されている。
【００３６】
動作時、第１のＲＭＭ５０は２つの入力信号、すなわち第１のＳＩＲ基準値５６及び第１の所定ＳＩＲ最小値５８を有する。第２のＲＭＭ５２は、２つの入力信号、すなわち第２のＳＩＲ基準値６０及び第２の所定ＳＩＲ最小値６２を有する。同様に、第３のＲＭＭ５４は、２つの入力信号、すなわち第３のＳＩＲ基準値６４及び第３の所定ＳＩＲ最小値６６を有する。各ＲＭＭは、ＱｏＳ判定を行い、その結果に応じて、ＳＩＲ基準値を増分又は減分する。各ＲＭＭは、当該チャネルに固有の使用ＳＩＲ値を含む単一の出力６８、７０、７２を有する。比較手段７４は、比較手段７４に入力された第１、第２、及び第３の使用ＳＩＲ値６８、７０、７２から、最大使用ＳＩＲ基準値を判断するように機能する。この値は、当該遠隔通信ネットワークのＳＩＲ基準値を制御すると言える。各ＲＲＭによって行われるＱｏＳ判定によって、本発明による拡張アウター・ループ電力制御が実施される。
【００３７】
上記のアルゴリズムは網羅的なものではなく、同じ発明概念を使用しながら変形態様を使用しても同様の結果を得ることができることが、当業者ならわかるであろう。たとえばこのアウター・ループ電力制御アルゴリズムは、移動局レベル、基地局レベル、又は無線ネットワーク制御局レベルで実施することができる。
【００３８】
さらに、本発明はＰＩアルゴリズムやジャンプ・アルゴリズムなど、任意のアウター・ループ電力制御アルゴリズムについて実施可能であることが、当業者ならわかるであろう。
【００３９】
従って、本発明は、従来のシステムより優れた顕著な利点を有する、ＲＲＭにおける電力制御を実現することがわかる。
【図面の簡単な説明】
【００４０】
【図１】無線遠隔通信ネットワークにおける基本的特徴を示す略図である。
【図２】一般的なアウター・ループ電力制御アルゴリズムの概要を示すフローチャートである。
【図３】本発明による拡張アウター・ループ電力制御アルゴリズムの使用の概要を示すフローチャートである。
【図４】本発明によるネットワーク構造を示す略図である。
【図１】
0004585858.tif 000018
【図２】
0004585858.tif 000019
【図３】
0004585858.tif 000020
【図４】
0004585858.tif 000021